【事件の表示】
　平成１１年特許願第　８４３２９号「音声及び／または映像信号の伝送システム、その送信装置、及びその受信装置」拒絶査定不服審判事件〔平成１２年１０月　６日出願公開、特開２０００−２７８６５４〕について、次のとおり審決する。
【結　論】
　本件審判の請求は、成り立たない。
【理　由】
第１　経緯
１　経緯
　本願は、平成１１年３月２６日の出願であって、平成１９年１１月７日付けで拒絶理由が通知され、これに対し、平成２０年１月１５日付けで意見書が提出されると同時に手続補正がなされたが、平成２０年１月３１日付け（発送日同年２月５日）で拒絶査定がなされたものである
　本件は、本願についてなされた上記拒絶査定を不服として平成２０年３月６日付けで請求された拒絶査定不服審判であって、平成２０年４月７日付けで手続補正がなされたものである。
　　
２　査定の概要
　原査定の理由は、概略、次のとおりである。
　　
［査定の理由］
　請求項１〜１７に係る発明は、下記の刊行物に記載された発明に基いて、当業者が容易に発明をすることができたものであるから、特許法第２９条第２項の規定により特許を受けることができない。
　　　　　　　　　　　　　　　記
　引用文献１：特開平９−１４９３２５号公報
　引用文献２：特開平９−１３０６８８号公報
　引用文献３：特開平１１−７３７２９号公報（周知技術）
　　
第２　補正却下の決定
　平成２０年４月７日付けの手続補正について次のとおり決定する。
 　 
［補正却下の決定の結論］
　平成２０年４月７日付けの手続補正を却下する。
　　
［理由］
１　補正の内容
　平成２０年４月７日付けの手続補正（以下「本件補正」という。）は、請求項１〜請求項１７についてする補正を含むものである。
　　
　補正前の請求項１〜請求項１７
「【請求項１】　音声及び／または映像信号の発生手段、前記音声及び／または映像信号を出力する単数若しくは複数のアナログ出力手段、及び前記音声及び／または映像信号を入出力する単数若しくは複数のデジタル入出力手段を有する単数若しくは複数の音声及び／または映像信号の送信装置と、
　音声及び／または映像信号を入力する単数若しくは複数のアナログ入力手段、音声及び／または映像信号を入出力する単数若しくは複数のデジタル入出力手段、及び入力された前記音声及び／または映像信号から少なくとも表示用の映像信号を形成する信号形成手段を有する音声及び／または映像信号の受信装置とから成り、
　前記送信装置と受信装置との間で前記音声及び／または映像信号の伝送を行う音声及び／または映像信号の伝送システムであって、
　前記単数若しくは複数の音声及び／または映像信号の送信装置には、それぞれ自己の装置及び／または出力信号の形態を示す情報を形成して前記デジタル入出力手段からアイソクロナス伝送により出力する情報生成手段が設けられ、
　前記音声及び／または映像信号の受信装置には、前記デジタル入出力手段にアイソクロナス伝送で入力される前記自己の装置及び／または出力信号の形態を示す情報に応じた画像を前記表示用の映像信号に重畳する情報処理手段が設けられる
　ことを特徴とする音声及び／または映像信号の伝送システム。
【請求項２】　請求項１記載の音声及び／または映像信号の伝送システムにおいて、
　前記情報生成手段では、前記自己の装置及び／または出力信号の形態を示す情報を所定のコードによって形成して伝送を行い、
　前記情報処理手段では、前記伝送されたコードを予め設けられた対照表に従って前記自己の装置及び／または出力信号の形態を判断して前記表示用の映像信号への前記画像の重畳を行う
　ことを特徴とする音声及び／または映像信号の伝送システム。
【請求項３】　請求項１記載の音声及び／または映像信号の伝送システムにおいて、
　前記情報生成手段では、前記自己の装置及び／または出力信号の形態を示す情報を任意のロゴキャラクターによって形成して伝送を行い、
　前記情報処理手段では、前記伝送されたロゴキャラクターを受信して前記表示用の映像信号への重畳を行う
　ことを特徴とする音声及び／または映像信号の伝送システム。
【請求項４】　請求項３記載の音声及び／または映像信号の伝送システムにおいて、
　前記ロゴキャラクターはビットマップデータ形式で形成して伝送する
　ことを特徴とする音声及び／または映像信号の伝送システム。
【請求項５】　請求項１記載の音声及び／または映像信号の伝送システムにおいて、
　前記音声及び／または映像信号の受信装置では、複数の前記音声及び／または映像信号の送信装置から伝送される映像信号のそれぞれに対して前記自己の装置及び／または出力信号の形態を示す情報に応じた前記表示用の映像信号への前記画像の重畳を行うと共に、
　前記画像の重畳された映像信号を複数のウィンドウを用いて合成するウィンドウ合成手段を有する
　ことを特徴とする音声及び／または映像信号の伝送システム。
【請求項６】　請求項１記載の音声及び／または映像信号の伝送システムにおいて、
　前記デジタル入出力手段での前記音声及び／または映像信号と前記自己の装置及び／または出力信号の形態を示す情報の伝送はＩＥＥＥ１３９４で規定されるフォーマットを用いて行われる
　ことを特徴とする音声及び／または映像信号の伝送システム。
【請求項７】　音声及び／または映像信号の発生手段、前記音声及び／または映像信号を出力する単数若しくは複数のアナログ出力手段、及び前記音声及び／または映像信号を入出力する単数若しくは複数のデジタル入出力手段を有する音声及び／または映像信号の送信装置であって、
　自己の装置及び／または出力信号の形態を示す情報を形成して前記デジタル入出力手段からアイソクロナス伝送により出力する情報生成手段が設けられる
　ことを特徴とする音声及び／または映像信号の送信装置。
【請求項８】　請求項７記載の音声及び／または映像信号の送信装置において、
　前記情報生成手段では、前記自己の装置及び／または出力信号の形態を示す情報を所定のコードによって形成する
　ことを特徴とする音声及び／または映像信号の送信装置。
【請求項９】　請求項７記載の音声及び／または映像信号の送信装置において、
　前記情報生成手段では、前記自己の装置及び／または出力信号の形態を示す情報を任意のロゴキャラクターによって形成して伝送する
　ことを特徴とする音声及び／または映像信号の送信装置。
【請求項１０】　請求項９記載の音声及び／または映像信号の送信装置において、
　前記ロゴキャラクターはビットマップデータ形式で形成して伝送する
　ことを特徴とする音声及び／または映像信号の送信装置。
【請求項１１】　請求項７記載の音声及び／または映像信号の送信装置において、
　前記デジタル入出力手段での前記音声及び／または映像信号と前記自己の装置及び／または出力信号の形態を示す情報の伝送はＩＥＥＥ１３９４で規定されるフォーマットを用いて行われる
　ことを特徴とする音声及び／または映像信号の送信装置。
【請求項１２】　音声及び／または映像信号を入力する単数若しくは複数のアナログ入力手段、音声及び／または映像信号を入出力する単数若しくは複数のデジタル入出力手段、及び入力された前記音声及び／または映像信号から少なくとも表示用の映像信号を形成する信号形成手段を有する音声及び／または映像信号の受信装置であって、
　送信側の装置及び／または送信信号の形態を示す情報が前記デジタル入出力手段にアイソクロナス伝送で供給され、
　前記デジタル入出力手段から入力される情報に応じた画像を前記表示用の映像信号に重畳する情報処理手段が設けられる
　ことを特徴とする音声及び／または映像信号の受信装置。
【請求項１３】　請求項１２記載の音声及び／または映像信号の受信装置において、
　前記デジタル入出力手段に供給される情報は所定のコードによって形成され、
　前記情報処理手段では、前記コードを予め設けられた対照表に従って前記送信側の装置及び／または送信信号の形態を判断して前記表示用の映像信号への前記画像の重畳を行う
　ことを特徴とする音声及び／または映像信号の受信装置。
【請求項１４】　請求項１２記載の音声及び／または映像信号の受信装置において、
　前記デジタル入出力手段に供給される情報は任意のロゴキャラクターによって形成して伝送を行い、
　前記伝送されたロゴキャラクターを受信して前記表示用の映像信号への重畳を行う
　ことを特徴とする音声及び／または映像信号の受信装置。
【請求項１５】　請求項１４記載の音声及び／または映像信号の受信装置において、
　前記ロゴキャラクターはビットマップデータ形式で形成されて伝送される
　ことを特徴とする音声及び／または映像信号の受信装置。
【請求項１６】　請求項１２記載の音声及び／または映像信号の受信装置において、
　受信される複数の前記映像信号のそれぞれに対して前記送信側の装置及び／または送信信号の形態を示す情報に応じた前記表示用の映像信号への前記画像の重畳を行うと共に、
　前記画像の重畳された映像信号を複数のウィンドウを用いて合成するウィンドウ合成手段を有する
　ことを特徴とする音声及び／または映像信号の受信装置。
【請求項１７】　請求項１２記載の音声及び／または映像信号の受信装置において、
　前記デジタル入出力手段での前記音声及び／または映像信号と前記送信側の装置及び／または送信信号の形態を示す情報の伝送はＩＥＥＥ１３９４で規定されるフォーマットを用いて行われる
　ことを特徴とする音声及び／または映像信号の受信装置。」
　　
を、次のとおり補正後の請求項１〜請求項１７に補正するものである。
　　
「【請求項１】　音声及び／または映像信号の発生手段、前記音声及び／または映像信号を出力する単数若しくは複数のアナログ出力手段、及び前記音声及び／または映像信号を入出力する単数若しくは複数のデジタル入出力手段を有する単数若しくは複数の音声及び／または映像信号の送信装置と、
　音声及び／または映像信号を入力する単数若しくは複数のアナログ入力手段、音声及び／または映像信号を入出力する単数若しくは複数のデジタル入出力手段、及び入力された前記音声及び／または映像信号から少なくとも表示用の映像信号を形成する信号形成手段
を有する音声及び／または映像信号の受信装置とから成り、
　前記送信装置と受信装置との間で前記音声及び／または映像信号の伝送をアイソクロナス伝送で行う音声及び／または映像信号の伝送システムであって、
　前記単数若しくは複数の音声及び／または映像信号の送信装置には、それぞれ自己の装置及び／または出力信号の形態を示す情報を形成して前記デジタル入出力手段からアシンクロナス伝送により出力する情報生成手段が設けられ、
　前記音声及び／または映像信号の受信装置には、前記デジタル入出力手段にアシンクロナス伝送で入力される前記自己の装置及び／または出力信号の形態を示す情報に応じた画像を前記表示用の映像信号に重畳する情報処理手段が設けられる
　ことを特徴とする音声及び／または映像信号の伝送システム。
【請求項２】　請求項１記載の音声及び／または映像信号の伝送システムにおいて、
　前記情報生成手段では、前記自己の装置及び／または出力信号の形態を示す情報を所定のコードによって形成して伝送を行い、
　前記情報処理手段では、前記伝送されたコードを予め設けられた対照表に従って前記自己の装置及び／または出力信号の形態を判断して前記表示用の映像信号への前記画像の重畳を行う
　ことを特徴とする音声及び／または映像信号の伝送システム。
【請求項３】　請求項１記載の音声及び／または映像信号の伝送システムにおいて、
　前記情報生成手段では、前記自己の装置及び／または出力信号の形態を示す情報を任意のロゴキャラクターによって形成して伝送を行い、
　前記情報処理手段では、前記伝送されたロゴキャラクターを受信して前記表示用の映像信号への重畳を行う
　ことを特徴とする音声及び／または映像信号の伝送システム。
【請求項４】　請求項３記載の音声及び／または映像信号の伝送システムにおいて、
　前記ロゴキャラクターはビットマップデータ形式で形成して伝送する
　ことを特徴とする音声及び／または映像信号の伝送システム。
【請求項５】　請求項１記載の音声及び／または映像信号の伝送システムにおいて、
　前記音声及び／または映像信号の受信装置では、複数の前記音声及び／または映像信号の送信装置から伝送される映像信号のそれぞれに対して前記自己の装置及び／または出力信号の形態を示す情報に応じた前記表示用の映像信号への前記画像の重畳を行うと共に、
　前記画像の重畳された映像信号を複数のウィンドウを用いて合成するウィンドウ合成手段を有する
　ことを特徴とする音声及び／または映像信号の伝送システム。
【請求項６】　請求項１記載の音声及び／または映像信号の伝送システムにおいて、
　前記デジタル入出力手段での前記音声及び／または映像信号と前記自己の装置及び／または出力信号の形態を示す情報の伝送はＩＥＥＥ１３９４で規定されるフォーマットを用いて行われる
　ことを特徴とする音声及び／または映像信号の伝送システム。
【請求項７】　音声及び／または映像信号の発生手段、前記音声及び／または映像信号を出力する単数若しくは複数のアナログ出力手段、及び前記音声及び／または映像信号を入出力する単数若しくは複数のデジタル入出力手段を有し、前記音声及び／または映像信号をアイソクロナス伝送で送出する音声及び／または映像信号の送信装置であって、
　自己の装置及び／または出力信号の形態を示す情報を形成して前記デジタル入出力手段からアシンクロナス伝送により出力する情報生成手段が設けられる
　ことを特徴とする音声及び／または映像信号の送信装置。
【請求項８】　請求項７記載の音声及び／または映像信号の送信装置において、
　前記情報生成手段では、前記自己の装置及び／または出力信号の形態を示す情報を所定のコードによって形成する
　ことを特徴とする音声及び／または映像信号の送信装置。
【請求項９】　請求項７記載の音声及び／または映像信号の送信装置において、
　前記情報生成手段では、前記自己の装置及び／または出力信号の形態を示す情報を任意のロゴキャラクターによって形成して伝送する
　ことを特徴とする音声及び／または映像信号の送信装置。
【請求項１０】　請求項９記載の音声及び／または映像信号の送信装置において、
　前記ロゴキャラクターはビットマップデータ形式で形成して伝送する
　ことを特徴とする音声及び／または映像信号の送信装置。
【請求項１１】　請求項７記載の音声及び／または映像信号の送信装置において、
　前記デジタル入出力手段での前記音声及び／または映像信号と前記自己の装置及び／または出力信号の形態を示す情報の伝送はＩＥＥＥ１３９４で規定されるフォーマットを用いて行われる
　ことを特徴とする音声及び／または映像信号の送信装置。
【請求項１２】　音声及び／または映像信号を入力する単数若しくは複数のアナログ入力手段、音声及び／または映像信号を入出力する単数若しくは複数のデジタル入出力手段、及び入力された前記音声及び／または映像信号から少なくとも表示用の映像信号を形成する信号形成手段を有し、アイソクロナス伝送された音声及び／または映像信号を受信する音声及び／または映像信号の受信装置であって、
　送信側の装置及び／または送信信号の形態を示す情報が前記デジタル入出力手段にアシンクロナス伝送で供給され、
　前記デジタル入出力手段から入力される情報に応じた画像を前記表示用の映像信号に重畳する情報処理手段が設けられる
　ことを特徴とする音声及び／または映像信号の受信装置。
【請求項１３】　請求項１２記載の音声及び／または映像信号の受信装置において、
　前記デジタル入出力手段に供給される情報は所定のコードによって形成され、
　前記情報処理手段では、前記コードを予め設けられた対照表に従って前記送信側の装置及び／または送信信号の形態を判断して前記表示用の映像信号への前記画像の重畳を行う
　ことを特徴とする音声及び／または映像信号の受信装置。
【請求項１４】　請求項１２記載の音声及び／または映像信号の受信装置において、
　前記デジタル入出力手段に供給される情報は任意のロゴキャラクターによって形成して伝送を行い、
　前記伝送されたロゴキャラクターを受信して前記表示用の映像信号への重畳を行う
　ことを特徴とする音声及び／または映像信号の受信装置。
【請求項１５】　請求項１４記載の音声及び／または映像信号の受信装置において、
　前記ロゴキャラクターはビットマップデータ形式で形成されて伝送される
　ことを特徴とする音声及び／または映像信号の受信装置。
【請求項１６】　請求項１２記載の音声及び／または映像信号の受信装置において、
　受信される複数の前記映像信号のそれぞれに対して前記送信側の装置及び／または送信信号の形態を示す情報に応じた前記表示用の映像信号への前記画像の重畳を行うと共に、
　前記画像の重畳された映像信号を複数のウィンドウを用いて合成するウィンドウ合成手段を有する
　ことを特徴とする音声及び／または映像信号の受信装置。
【請求項１７】　請求項１２記載の音声及び／または映像信号の受信装置において、
　前記デジタル入出力手段での前記音声及び／または映像信号と前記送信側の装置及び／または送信信号の形態を示す情報の伝送はＩＥＥＥ１３９４で規定されるフォーマットを用いて行われる
　ことを特徴とする音声及び／または映像信号の受信装置。」
 　 
２　補正の適合性 
（１）補正の目的 
　本件補正は、誤記の訂正、又は特許請求の範囲の減縮を目的とするものである。
　詳細は以下のとおりである。 
　　
ア　請求項１
（ア）補正前の「前記送信装置と受信装置との間で前記音声及び／または映像信号の伝送を行う音声及び／または映像信号の伝送システムであって」の「伝送を行う」を「伝送をアイソクロナス伝送で行う」に減縮した補正は、特許請求の範囲の減縮に相当する。
（イ）補正前の「前記単数若しくは複数の音声及び／または映像信号の送信装置には、それぞれ自己の装置及び／または出力信号の形態を示す情報を形成して前記デジタル入出力手段からアイソクロナス伝送により出力する情報生成手段が設けられ」及び「前記音声及び／または映像信号の受信装置には、前記デジタル入出力手段にアイソクロナス伝送で入力される前記自己の装置及び／または出力信号の形態を示す情報に応じた画像を前記表示用の映像信号に重畳する情報処理手段が設けられる」における「アイソクロナス伝送」を「アシンクロナス伝送」とする補正が誤記の訂正であるか検討する。
　本願明細書には下記の記載がある。
　　
　　　　　記（本願明細書の記載）
〈従来の技術〉
「【０００４】
　そこでこのようなデジタル形式による音声や映像信号をそのまま伝送する手段としては、例えばＩＥＥＥ１３９４で規定されるフォーマットが使用される。すなわちこの規定のフォーマットにおいては、例えば図３に示すように、一定周期（１２５μｓ）ごとに同期信号（サイクルスタート）が設けられる。そしてこの同期信号間にアイソクロナス（ｉｓｏｃｈｒｏｎｏｕｓ＝同期）パケットと呼ばれる任意の数の信号チャネル（１〜ｎ）が設けられる。」
　　
「【０００６】
　従ってこのアイソクロナスパケットの１行目は第１のヘッダエリアとされる。さらに２行目には、上述の１行目の第１のヘッダエリアのデータに対する誤り訂正コード（ｈｅａｄｅｒ　ＣＲＣ）が設けられる。そしてこのアイソクロナスパケットの３行目以降に、上述の値（ｄａｔａ　ｌｅｎｇｔｈ）に示された範囲に亙って、上述の伝送される音声や映像信号のデータが設けられる。また、最後の行には３行目以降に伝送されるデータに対する誤り訂正コード（ｄａｔａ　ＣＲＣ）が設けられる。」
　　
「【０００８】
　さらに上述の同期信号間でアイソクロナスパケットの伝送された残りの期間には、アシンクロナス（ａｓｙｎｃｈｒｏｎｏｕｓ＝非同期）パケットと呼ばれる制御情報等の伝送部が設けられる。なお上述の同期信号もアシンクロナスパケットの構成で伝送されている。そしてこのアシンクロナスパケットで伝送される制御情報に従って、上述のアイソクロナスパケットの任意のチャネルを使った任意の装置間での音声や映像信号の伝送が行われる。
【０００９】
　すなわち図４のＢには、例えば１クワドレットの制御情報（データ）を、任意の装置の所望のメモリやレジスタに書き込むためのアシンクロナスパケットの構成が示される。このパケットの１行は１クワドレットであって、この１行目の前半の２バイトには着信先（書き込み先）の装置の認識コード（ｄｅｓｔｉｎａｔｉｏｎ　ＩＤ）が設けられる。また２行目の前半の２バイトには発信元の装置の認識コード（ｓｏｕｒｃｅ　ＩＤ）が設けられる。なおこれらの認識コード（ＩＤ）は、例えばシステムの構築時に各装置ごとに予め設定されるものである。」
　　
〈発明の実施の形態〉
「【００３３】
　以下、図面を参照して本発明を説明するに、図１は本発明による音声及び／または映像信号の伝送システム、その送信装置、及びその受信装置を適用した伝送システムの全体の構成の一実施形態を示すブロック図である。」
　　
「【００３８】
　またデマルチプレクス回路３７で分離された情報生成回路１３、２３の出力信号の相当する信号が情報処理回路３９に供給される。この情報処理回路３９では、上述の情報生成回路１３、２３で形成されたそれぞれの装置及び／または出力信号の形態を示す情報が検出され、それぞれの情報に応じた画像が形成される。そしてこの情報処理回路３９からの信号が表示重畳回路３６に供給され、この表示重畳回路３６からの信号がモニター回路４０に供給される。」
　　
「【００４０】
　さらに上述の伝送システムにおいて、インターフェース回路１７、２７、３２の間が、例えば上述のＩＥＥＥ１３９４で規定されるフォーマットを用いて接続されている場合には、上述の信号発生源１２、２２からのデジタル形式の信号はアイソクロナスパケットで伝送される。それと共に、情報生成回路１３、２３からの情報は、例えば１クワドレット若しくは１クワドレット以上の制御情報（データ）を、任意の装置の所望のメモリやレジスタに書き込むためのアシンクロナスパケットの構成で伝送されるものである。」
　　
「【００４５】
　さらに上述の伝送システムにおいて、情報生成回路１３、２３の出力信号がバス線１８を通じて供給される装置及び／または出力信号の形態を示す情報は、例えばコード化して伝送すると共に、機器３０の情報処理回路３９にそのコードに対して装置及び／または出力信号の形態を判別する対照表を設け、この対照表で判別された装置及び／または出力信号の形態を具体的に示す画像を形成する。この場合に伝送されるコードは、例えば１クワドレットの情報とすることができ、例えば上述のＩＥＥＥ１３９４で規定される１クワドレットの制御情報を任意の装置の所望のメモリやレジスタに書き込むためのアシンクロナスパケットのフォーマットを用いて容易に伝送することができる。」
　　
「【００４７】
　またこのようなロゴキャラクターは、例えば上述の対照表と共に機器３０の情報処理回路３９に設けることもできるが、例えばこのようなロゴキャラクターをビットマップデータ形式で形成して、例えば上述のＩＥＥＥ１３９４で規定される１クワドレット以上の制御情報を任意の装置に書き込むためのアシンクロナスパケットのフォーマットを用いて伝送することができる。この場合には、機器１０、２０の情報生成回路１３、２３にこのようなロゴキャラクターのビットマップデータを設けることによって、機器３０の情報処理回路３９には対照表や画像のデータ等を設けなくても、上述の画像の表示を行うことができる。
【００４８】
　さらに上述の伝送システムにおいて、例えば入力インターフェース回路３１、３２からの映像信号は表示重畳回路３６で合成することによって、いわゆるウィンドウ表示することもできる。また、上述の信号を、例えばＩＥＥＥ１３９４で規定されるフォーマットを用いて接続する場合には、信号発生源１２、２２からのデジタル形式の信号はアイソクロナスパケットで伝送し、情報生成回路１３、２３からの情報は、例えば１クワドレット若しくは１クワドレット以上の制御情報（データ）を、任意の装置の所望のメモリやレジスタに書き込むためのアシンクロナスパケットの構成で伝送することができる。」
　　
「【００５８】
　また、請求項６の発明によれば、デジタル入出力手段での音声及び／または映像信号と自己の装置及び／または出力信号の形態を示す情報の伝送はＩＥＥＥ１３９４で規定されるフォーマットを用いて行うことによって、デジタル形式の信号はアイソクロナスパケットで伝送し、情報生成回路からの情報は、例えば１クワドレット若しくは１クワドレット以上の制御情報（データ）を、任意の装置の所望のメモリやレジスタに書き込むためのアシンクロナスパケットの構成で伝送することができるものである。」
　　
「【００６３】
　また、請求項１１の発明によれば、デジタル入出力手段での音声及び／または映像信号と自己の装置及び／または出力信号の形態を示す情報の伝送はＩＥＥＥ１３９４で規定されるフォーマットを用いて行うことによって、デジタル形式の信号はアイソクロナスパケットで伝送し、情報生成回路からの情報は、例えば１クワドレット若しくは１クワドレット以上の制御情報（データ）を、任意の装置の所望のメモリやレジスタに書き込むためのアシンクロナスパケットの構成で送信することができるものである。」
　　
「【００６９】
　また、請求項１７の発明によれば、デジタル入出力手段での音声及び／または映像信号と送信側の装置及び／または送信信号の形態を示す情報の伝送はＩＥＥＥ１３９４で規定されるフォーマットを用いて行うことによって、デジタル形式の信号はアイソクロナスパケットで伝送し、情報生成回路からの情報は、例えば１クワドレット若しくは１クワドレット以上の制御情報（データ）を、任意の装置の所望のメモリやレジスタに書き込むためのアシンクロナスパケットの構成で伝送することができるものである。」
　　（以上、本願明細書の記載）
　　
　上記本願明細書の記載から、「信号発生源１２、２２からのデジタル形式の信号はアイソクロナスパケットで伝送され」、「それと共に、情報生成回路１３、２３からの情報は、・・・アシンクロナスパケットの構成で伝送されるものであ」（段落【００４０】）り、「それぞれの装置及び／または出力信号の形態を示す情報」は、「情報生成回路１３、２３で形成され」（段落【００３８】）るものである。
　情報生成回路からの情報、すなわち、それぞれの装置及び／または出力信号の形態を示す情報は、アシンクロナスパケットの構成で伝送することができるものであることは上記のとおりである。
　一方、該情報がアイソクロナスパケットで伝送されることは、本願明細書に記載されていない。
　アイソクロナスパケットで伝送されるものは、「信号発生源１２、２２からのデジタル形式の信号」であり（段落【００４０】）、本願明細書に記載されている発明は、「音声及び／または映像信号の伝送システム」（段落【００３３】）であるから、アイソクロナスパケットで伝送されるものは、デジタル形式の音声及び／または映像信号と理解される。このことは、従来の技術（段落【０００４】、【０００６】）の記載とも一致する。
　そうすると、「前記単数若しくは複数の音声及び／または映像信号の送信装置には、それぞれ自己の装置及び／または出力信号の形態を示す情報を形成して前記デジタル入出力手段から」「出力する情報生成手段」が、「アイソクロナス伝送により」出力するものではなく、「アシンクロナス伝送により」出力するの誤記であり、また、「前記音声及び／または映像信号の受信装置には、前記デジタル入出力手段に」「入力される前記自己の装置及び／または出力信号の形態を示す情報に応じた画像を前記表示用の映像信号に重畳する情報処理手段」が、「前記デジタル入出力手段にアイソクロナス伝送で入力される」ものではなく、「前記デジタル入出力手段にアシンクロナス伝送で入力される」の誤記であると認められる。
　　
　したがって、補正前の「前記単数若しくは複数の音声及び／または映像信号の送信装置には、それぞれ自己の装置及び／または出力信号の形態を示す情報を形成して前記デジタル入出力手段からアイソクロナス伝送により出力する情報生成手段が設けられ」及び「前記音声及び／または映像信号の受信装置には、前記デジタル入出力手段にアイソクロナス伝送で入力される前記自己の装置及び／または出力信号の形態を示す情報に応じた画像を前記表示用の映像信号に重畳する情報処理手段が設けられる」におけるの「アイソクロナス伝送」を「アシンクロナス伝送」とする補正が誤記の訂正であると認められる。
　　
イ　請求項２〜請求項６
　請求項２〜請求項６は、文言の補正はなく、請求項１を引用するものであるところ、上記アのとおり、請求項１の補正が誤記の訂正又は特許請求の範囲の減縮であるから、請求項２〜請求項６の補正も請求項１と同様に誤記の訂正又は特許請求の範囲の減縮である。
　　
ウ　請求項７
（ア）補正前の
「音声及び／または映像信号の発生手段、前記音声及び／または映像信号を出力する単数若しくは複数のアナログ出力手段、及び前記音声及び／または映像信号を入出力する単数若しくは複数のデジタル入出力手段を有する音声及び／または映像信号の送信装置であって」を
「音声及び／または映像信号の発生手段、前記音声及び／または映像信号を出力する単数若しくは複数のアナログ出力手段、及び前記音声及び／または映像信号を入出力する単数若しくは複数のデジタル入出力手段を有
し、前記音声及び／または映像信号をアイソクロナス伝送で送出
とする補正は、「音声及び／または映像信号の送信装置」が「前記音声及び／または映像信号をアイソクロナス伝送で送出する」ことに限定しているので、特許請求の範囲の減縮に相当する。
（イ）補正前の「自己の装置及び／または出力信号の形態を示す情報を形成して前記デジタル入出力手段からアイソクロナス伝送により出力する情報生成手段」の「アイソクロナス伝送」を「アシンクロナス伝送」とする補正は、誤記の訂正である。理由は、上記ア（イ）のとおりである。
　　
エ　請求項８〜請求項１１
　請求項８〜請求項１１は、文言の補正はなく、請求項７を引用するものであるところ、上記ウのとおり、請求項７の補正が誤記の訂正又は特許請求の範囲の減縮であるから、請求項８〜請求項１１の補正も請求項７と同様に誤記の訂正又は特許請求の範囲の減縮である。
　　
オ　請求項１２
（ア）補正前の
「音声及び／または映像信号を入力する単数若しくは複数のアナログ入力手段、音声及び／または映像信号を入出力する単数若しくは複数のデジタル入出力手段、及び入力された前記音声及び／または映像信号から少なくとも表示用の映像信号を形成する信号形成手段を有する音声及び／または映像信号の受信装置であって」を
「音声及び／または映像信号を入力する単数若しくは複数のアナログ入力手段、音声及び／または映像信号を入出力する単数若しくは複数のデジタル入出力手段、及び入力された前記音声及び／または映像信号から少なくとも表示用の映像信号を形成する信号形成手段を有
し、アイソクロナス伝送された音声及び／または映像信号を受信
とする補正は、「音声及び／または映像信号の受信装置」が「アイソクロナス伝送された音声及び／または映像信号を受信する」ことに限定しているので、特許請求の範囲の減縮に相当する。
（イ）補正前の「送信側の装置及び／または送信信号の形態を示す情報が前記デジタル入出力手段にアイソクロナス伝送で供給され」の「アイソクロナス伝送」を「アシンクロナス伝送」とする補正は、誤記の訂正である。理由は、上記ア（イ）のとおりである。
　　
カ　請求項１３〜請求項１７
　請求項１３〜請求項１７は、文言の補正はなく、請求項１２を引用するものであるところ、上記オのとおり、請求項１２の補正が誤記の訂正又は特許請求の範囲の減縮であるから、請求項１３〜請求項１７の補正も請求項１２と同様に誤記の訂正又は特許請求の範囲の減縮である。
 　 
（２）独立特許要件 
　上記のとおり本件補正は特許請求の範囲の減縮を目的としているので、本件補正後における発明が特許出願の際独立して特許を受けることができるものであるか否かを、以下に検討する。
 　 
（３）補正後発明 
　補正後の請求項１〜請求項１７に係る発明のうち請求項７に係る発明（以下「補正後発明」という。）は、補正後の特許請求の範囲の請求項７に記載された以下のとおりのものである。 
　　
「音声及び／または映像信号の発生手段、前記音声及び／または映像信号を出力する単数若しくは複数のアナログ出力手段、及び前記音声及び／または映像信号を入出力する単数若しくは複数のデジタル入出力手段を有し、前記音声及び／または映像信号をアイソクロナス伝送で送出する音声及び／または映像信号の送信装置であって、
　自己の装置及び／または出力信号の形態を示す情報を形成して前記デジタル入出力手段からアシンクロナス伝送により出力する情報生成手段が設けられる
　ことを特徴とする音声及び／または映像信号の送信装置。」
 　 
（４）引用刊行物の記載 
　原査定の拒絶の理由に引用された特開平９−１４９３２５号公報（上記引用文献１、以下「刊行物１」という。）には、「グラフイック表示データ分散型ＡＶシステム」（発明の名称）に関し、図面と共に次に掲げる事項が記載されている。 
　　
〈発明の属する技術分野〉
「　【０００１】
　　【発明の属する技術分野】
　本発明は、グラフイック表示データ、即ち、使用者の操作を援助するために、表示画面に表示されるアイコン、グラフィック、文字等による情報そのもの又はこの情報を表示させるＧＵＩ（Ｇｒａｐｈｉｃ　Ｕｓｅｒ　Ｉｎｔｅｒｆａｃｅ）機能を有するテレビジョン受像機を含む複数のＡＶ機器を相互にディジタルインターフェイスでデイジーチェン接続して構成されたＡＶシステムに関するものである。」
　　
〈発明が解決しようとする課題〉
「　【００１５】
　  【発明が解決しようとする課題】
　しかしながら、従来のＡＶシステムにおいては、グラフイック表示データは、全てテレビジョン受像機内に集中的に格納されており、かつ、入力端子と固定的に対応付けられているため下記のような問題点があった。
　　【００１６】
（１）予め登録されているＡＶ機器以外は表示することができないため、新しいＡＶ機器の表示には対応することはできない。
（２）実際に接続されているＡＶ機器と表示とが異なる場合がある。
（３）ＡＶ機器に故障が発生した時、テレビジョン受像機が記憶しているエラー表示以外は表示することができない。
　　【００１７】
　従って、本発明は、上記問題点を解消するため、各ＡＶ機器がグラフイック表示データを分散保持し、テレビジョン受像機からの要求によりグラフイック表示データを送信し、テレビジョン受像機は、要求に対する応答のみをグラフイック表示するようにしたグラフイックデータ分散型ＡＶシステムに課題を有する。」
　　
〈発明の実施の形態〉
「　【００２３】
　　【発明の実施の形態】
　本発明に係るグラフイックデータ分散型ＡＶシステムの望ましい実施の形態は、図１に示すように、グラフイック表示機能を持つテレビジョン受像機（コントローラＡＶＣ及びテレビジョン受像機ＴＶ）に多種多数のＡＶ機器を、ＩＥＥＥ１３９４規格のディジタルインターフェイス（以下１３９４ＩＦと記載する）で接続して構成されている。
　　【００２４】
  ここで１３９４ＩＦについて説明しておく。
　１３９４ＩＦは、テレビジョン受像機に複数のＡＶ機器をディジーチェン接続で挿脱自在に接続することが可能な所謂シリアルバスであって、どのＡＶ機器にも切り換え接続回路はなく、各ＡＶ機器は任意の他ＡＶ機器との間で、パケット方式の双方向通信を均等にかつ周期的に割り当てられる通信時間で行うことができる。
　　【００２５】
　テレビジョン受像機及び各ＡＶ機器は１３９４ＩＦのノードを形成している。各ＡＶ機器の接続は、ループを形成しない限り任意であり、一つのノードから複数のブランチを出すこともできる。
　　【００２６】
　図１においては、テレビジョン受像機ＴＶと、コントローラＡＶＣと、ディジタルビデオレコーダＶＣＲと、ディジタルビデオディスクＤＶＤと、ゲーム機Ｇと、電話機ＴＥＬと、ファックスＦＡＸと、音楽ディスク交換機ＭＤＣと、ディジタルオーディオテープレコーダＤＡＴと、コンパクトディスク交換機ＣＤＣと、プリンタＰと、赤外線装置ＩＲＵとがシリーズに接続されている。」
　　
「　【００２８】
　コントローラＡＶＣとテレビジョン受像機ＴＶとをグラフイック表示可能な１個のＡＶ機器と見做してもよい。」
　　
〈グラフィック表示制御〉
「　【００３８】
　以下、グラフイック表示制御について、コントローラＡＶＣとテレビジョン受像機ＴＶとディジタルビデオレコーダＶＣＲとの関係を例に挙げて説明する。」
　　
〈コントローラＡＶＣの構成〉
「　【００３９】
１．コントローラＡＶＣの構成
　コントローラＡＶＣは、図２に示すように、ＣＰＵ１と、ＣＰＵ１のデータバス２と、データバス２に夫々接続されたＶＲＡＭ３、ＥＥＰＲＯＭ４、１３９４ＩＦ部５、ＲＡＭ６、ＲＯＭ７と、ＶＲＡＭ３と接続されたディスプレイコントローラ８と、ディスプレイコントローラ８の出力と１３９４ＩＦ部５の出力とを入力とするセレクタ９と、セレクタ９とテレビジョン受像機ＴＶとの間に介在する１３９４ＩＦ部１０とから構成されている。
　　【００４０】
　ＣＰＵ１は、ＧＵＩを駆動させるグラフイック表示プログラムを実行することにより、ＡＶシステム全体のグラフイック表示を制御する。
　データバス２はＣＰＵ１に入出力するデータの通路を形成する。
　ＶＲＡＭ３は、１画面分のグラフイック映像を記憶するメモリである。
　ＥＥＰＲＯＭ４は、各ＡＶ機器からおくられてきたアイコンデータ等を格納する。
　　【００４１】
　１３９４ＩＦ部５は、コントローラＡＶＣとディジタルビデオレコーダＶＣＲとを接続する１３９４ＩＦのコントローラＡＶＣ側入出力ポートを形成している。
　ＲＡＭ６は、ＣＰＵ１がプログラムを実行する時の作業用メモリである。
　ＲＯＭ７は、プログラム、フォント、基本的グラフィック、アイコン等の固定データを格納する。
　　【００４２】
　ディスプレイコントローラ８は、ＶＲＡＭ３に格納されている画素データを順次読出し、セレクタ９へ出力する。
　セレクタ９は、ディジタルビデオレコーダＶＣＲから１３９４ＩＦ部５を介して入力する映像信号と、ディスプレイコントローラ８から出力される映像信号とを重畳するか又はいずれか単独で出力する。
　　【００４３】
　１３９４ＩＦ部１０は、コントローラＡＶＣとテレビジョン受像機ＴＶとを接続する１３９４ＩＦのコントローラＡＶＣ側入出力ポートを形成している。」
　　
〈ディジタルビデオレコーダＶＣＲの構成〉
「　【００４４】
２．ディジタルビデオレコーダＶＣＲの構成
　ディジタルビデオレコーダＶＣＲは、図３に示すように、ＣＰＵ１１と、ＣＰＵ１１に接続されたデータバス１２と、データバス１２に夫々接続された、１３９４ＩＦ部１３、ＲＡＭ１４、ＲＯＭ１５、ビデオ・オーディオ信号再生ブロック１６とから構成されている。
　　【００４５】
　ＣＰＵ１１は、ＲＯＭ１５に記憶されているプログラムを実行することにより、１３９４ＩＦを通じて入力するコントローラＡＶＣからの制御信号に応答して、ＲＯＭ１５に格納してあるグラフイック表示データを１３９４ＩＦを介してコントローラＡＶＣへ送信するための動作全般を制御する。
　　【００４６】
　データバス１２は、ＣＰＵ１１がプログラムを実行する場合のデータの通路を形成している。
　１３９４ＩＦ部１３は、コントローラＡＶＣとディジタルビデオレコーダＶＣＲとを接続する１３９４ＩＦのディジタルビデオレコーダＶＣＲ側Ｉ／Ｏポートを形成する。
　　【００４７】
　ＲＡＭ１４は、ＣＰＵ１１のプログラム実行用作業メモリである。
　ＲＯＭ１５は、プログラムと、ディジタルビデオレコーダＶＣＲ固有のアイコン、エラーメッセージ等の固定データを格納する読出し専用メモリである。
　　【００４８】
　ビデオ・オーディオ信号再生ブロック１６は、ビデオテープ等の記録媒体に記録されている映像信号及び音声信号を再生するための全回路をまとめて示したものである。ビデオ・オーディオ信号再生ブロック１６は、ＣＰＵ１１の制御の下で、再生動作を行い、読み出された映像／音声信号を１３９４ＩＦ部１３へ出力する。
　　【００４９】
　１３９４ＩＦ部１３は、コントローラＡＶＣからの制御信号をデータバス１２を介してＣＰＵ１１へ送り込むと共に、ビデオ・オーディオ信号再生ブロック１６からの再生出力信号をコントローラＡＶＣへ送出する機能を有する。」
　　
〈グラフィック表示管理〉
「　【００５０】
３．グラフイック表示管理
　図１に示すＡＶシステムにおいては、１３９４ＩＦのシリアルバスに新規にＡＶ機器が接続されると、コントローラＡＶＣはそれを検知し、ＡＶシステム内の全ＡＶ機器のＩＤを更新するようになっている。
　　【００５１】
　この時のコントローラＡＶＣのＣＰＵ１が実行するグラフイック表示制御動作を図４に流れ図で示す。
　図４において、ＣＰＵ１はステップＳＴ１で新たにディジタルビデオレコーダＶＣＲが接続されたことを検知すると、ステップＳＴ２へ進み、その新たに接続されたディジタルビデオレコーダＶＣＲに対して１３９４ＩＦ部５及び１３９４ＩＦを通じてグラフイック表示データ（アイコンデータ）を問い合わせ、応答があるまで待機する。
　　【００５２】
　一方、ステップＳＴ３で、ディジタルビデオレコーダＶＣＲのＣＰＵ１１は、上記問い合わせを１３９４ＩＦ部１３を介して受信すると、ＲＯＭ１５に格納してあるアイコンデータを読出し、１３９４ＩＦ部１３と１３９４ＩＦを介してコントローラＡＶＣへ送信する。
　　【００５３】
　コントローラＡＶＣのＣＰＵ１はステップＳＴ４において、上記アイコンデータを１３９４ＩＦ部５を介して受信し、コントロール画面を表示するための要件が整っていることを判断すると、ステップＳＴ５へ進み、受信したディジタルビデオレコーダＶＣＲの外観を示す絵、機種を示す記号等のアイコンデータをＶＲＡＭ３上に配列することにより、コントロール画面の映像を作成し、ディスプレイコントローラ８を介してセレクタ９へ送る。
　　【００５４】
　セレクタ９は、このコントロール画面の映像と通常の映像とを重畳して１３９４ＩＦ部１０を介してテレビジョン受像機ＴＶへ送る。
　すると、例えば、図５に示すように、通常の映像の中に、接続されたＡＶ機器の機種を示す記号、外観を示すグラフィック、型式を示す文字等がスーパーインポーズされてテレビジョン受像機ＴＶの画面に表示される。」
　　
〈発明の効果〉
「　【００５７】
　　【発明の効果】
　以上説明したように、本発明に係るグラフイックデータ分散型ＡＶシステムは、各ＡＶ機器に独自のグラフイック表示データを保管させ、必要時に、グラフイック表示機能を持つＡＶ機器へ送るようにしたので、下記の効果を奏する。
　　【００５８】
（１）ＡＶシステム内に実際に接続されているＡＶ機器から直接グラフイック表示データを貰い、それを表示するので、表示と実際に接続されたＡＶ機器とが異なるということは起こらない。
（２）ＡＶ機器毎にグラフイック表示データを持つから、同一カテゴリーのＡＶ機器でも機種毎に独特のグラフイック表示をすることができ、識別し易すくなると云う効果がある。
　　【００５９】
（３）新しいＡＶ機器でもシリアルバスの任意の位置に自由に接続可能であるから、ＡＶシステムにコントローラを接続した時期より後にできた新しいＡＶ機器でもグラフイック表示を行うことができるから操作に便利である。
（４）ＡＶ機器の異常時のエラー表示を詳細にグラフイック表示が可能となり機能性を向上させることができると云う効果がある。」
 　 
（５）対比 
ア　刊行物１に記載された発明 
　刊行物１に記載されているディジタルビデオレコーダＶＣＲを刊行物１に記載された発明として認定する。
　ディジタルビデオレコーダＶＣＲは、ＣＰＵ１１と、ＣＰＵ１１に接続されたデータバス１２と、データバス１２に夫々接続された、１３９４ＩＦ部１３、ＲＡＭ１４、ＲＯＭ１５、ビデオ・オーディオ信号再生ブロック１６とから構成されている（段落【００４４】）。１３９４ＩＦは、ＩＥＥＥ１３９４規格のディジタルインターフェイスである（段落【００２３】）。
　ＣＰＵ１１は、ＲＯＭ１５に格納してあるグラフイック表示データを１３９４ＩＦを介してコントローラＡＶＣへ送信するための動作全般を制御する（段落【００４５】）。
　１３９４ＩＦ部１３は、コントローラＡＶＣとディジタルビデオレコーダＶＣＲとを接続する１３９４ＩＦのディジタルビデオレコーダＶＣＲ側Ｉ／Ｏポートを形成する（段落【００４６】）。
　ビデオ・オーディオ信号再生ブロック１６は、ＣＰＵ１１の制御の下で、再生動作を行い、読み出された映像／音声信号を１３９４ＩＦ部１３へ出力する（段落【００４８】）。
　１３９４ＩＦ部１３は、コントローラＡＶＣからの制御信号をデータバス１２を介してＣＰＵ１１へ送り込むと共に、ビデオ・オーディオ信号再生ブロック１６からの再生出力信号をコントローラＡＶＣへ送出する機能を有する（段落【００４９】）。
　図１から、ＶＣＲは、１３９４ＩＦを介して、コントローラＡＶＣとＤＶＤに接続されている。
　　
　「ＲＯＭ１５に格納してあるグラフイック表示データ」に関して次の記載がある。
　ＲＯＭ１５は、プログラムと、ディジタルビデオレコーダＶＣＲ固有のアイコン、エラーメッセージ等の固定データを格納する読出し専用メモリである（段落【００４７】）。
　ディジタルビデオレコーダＶＣＲのＣＰＵ１１は、上記問い合わせを１３９４ＩＦ部１３を介して受信すると、ＲＯＭ１５に格納してあるアイコンデータを読出し、１３９４ＩＦ部１３と１３９４ＩＦを介してコントローラＡＶＣへ送信する（段落【００５２】）。
　コントローラＡＶＣのＣＰＵ１は、上記アイコンデータを１３９４ＩＦ部５を介して受信し、コントロール画面を表示するための要件が整っていることを判断すると、受信したディジタルビデオレコーダＶＣＲの外観を示す絵、機種を示す記号等のアイコンデータをＶＲＡＭ３上に配列することにより、コントロール画面の映像を作成し、ディスプレイコントローラ８を介してセレクタ９へ送る（段落【００５３】）。
　セレクタ９は、このコントロール画面の映像と通常の映像とを重畳して１３９４ＩＦ部１０を介してテレビジョン受像機ＴＶへ送る。
　すると、例えば、図５に示すように、通常の映像の中に、接続されたＡＶ機器の機種を示す記号、外観を示すグラフィック、型式を示す文字等がスーパーインポーズされてテレビジョン受像機ＴＶの画面に表示される（段落【００５４】）。
　この記載から、「ＲＯＭ１５に格納してあるグラフイック表示データ」は、「ＡＶ機器の機種を示す記号、外観を示すグラフィック、型式を示す文字等」である。
　　
　以上によれば、刊行物１には、次の発明（以下「引用発明」という。）が記載されていると認められる。 
　　
 「ディジタルビデオレコーダＶＣＲは、ＣＰＵ１１と、ＣＰＵ１１に接続されたデータバス１２と、データバス１２に夫々接続された、ＩＥＥＥ１３９４規格のディジタルインターフェイスである１３９４ＩＦ部１３、ＲＡＭ１４、ＲＯＭ１５、ビデオ・オーディオ信号再生ブロック１６とから構成され、
　ＣＰＵ１１は、問い合わせを受信すると、ＲＯＭ１５に格納してあるグラフイック表示データ（ＡＶ機器の機種を示す記号、外観を示すグラフィック、型式を示す文字等）を１３９４ＩＦを介してコントローラＡＶＣへ送信するための動作全般を制御し、
　１３９４ＩＦ部１３は、コントローラＡＶＣとディジタルビデオレコーダＶＣＲとを接続する１３９４ＩＦのディジタルビデオレコーダＶＣＲ側Ｉ／Ｏポートを形成し、
　ビデオ・オーディオ信号再生ブロック１６は、ＣＰＵ１１の制御の下で、再生動作を行い、読み出された映像／音声信号を１３９４ＩＦ部１３へ出力し、
　１３９４ＩＦ部１３は、コントローラＡＶＣからの制御信号をデータバス１２を介してＣＰＵ１１へ送り込むと共に、ビデオ・オーディオ信号再生ブロック１６からの再生出力信号をコントローラＡＶＣへ送出する機能を有し、
　１３９４ＩＦを介して、ＤＶＤにも接続されている
　ディジタルビデオレコーダＶＣＲ。」 
 　 
イ　補正後発明と引用発明との対比 
（ア）「音声及び／または映像信号の発生手段」
　引用発明の「ビデオ・オーディオ信号再生ブロック１６」は、「ＣＰＵ１１の制御の下で、再生動作を行い、読み出された映像／音声信号を１３９４ＩＦ部１３へ出力」するから、「音声及び／または映像信号の発生手段」といえる。
　　
（イ）「前記音声及び／または映像信号を出力する単数若しくは複数のアナログ出力手段」
　引用発明は、アナログ出力するものではないので、「前記音声及び／または映像信号を出力する単数若しくは複数のアナログ出力手段」を有していない。補正後発明と相違する。
　　
（ウ）「前記音声及び／または映像信号を入出力する単数若しくは複数のデジタル入出力手段」
　引用発明の「１３９４ＩＦ部１３」は、「ＩＥＥＥ１３９４規格のディジタルインターフェイスであ」り、「コントローラＡＶＣとディジタルビデオレコーダＶＣＲとを接続する１３９４ＩＦのディジタルビデオレコーダＶＣＲ側Ｉ／Ｏポートを形成」するものであり、「コントローラＡＶＣからの制御信号をデータバス１２を介してＣＰＵ１１へ送り込むと共に、ビデオ・オーディオ信号再生ブロック１６からの再生出力信号をコントローラＡＶＣへ送出する機能を有」する。
　また、ディジタルビデオレコーダＶＣＲは、「ビデオレコーダ」であるから、入力される音声／映像を記録するものといえ、接続ラインは１３９４ＩＦしかなく、１３９４ＩＦを介してＤＶＤにも接続されている。
　そうすると、引用発明の「１３９４ＩＦ部１３」は、「前記音声及び／または映像信号を入出力する単数若しくは複数のデジタル入出力手段」といえる。
　　
（エ）「前記音声及び／または映像信号をアイソクロナス伝送で送出する音声及び／または映像信号の送信装置」
　引用発明の「１３９４ＩＦ部１３」は、「コントローラＡＶＣからの制御信号をデータバス１２を介してＣＰＵ１１へ送り込むと共に、ビデオ・オーディオ信号再生ブロック１６からの再生出力信号をコントローラＡＶＣへ送出する機能を有する」。そうすると、引用発明である「ディジタルビデオレコーダＶＣＲ」は、「ビデオ・オーディオ信号再生ブロック１６からの再生出力信号」、すなわち「音声及び／または映像信号」を送出するから、「前記音声及び／または映像信号を」「送出する音声及び／または映像信号の送信装置」といえる。
　もっとも、補正後発明が「アイソクロナス伝送で」音声及び／または映像信号を送出するのに対して、引用発明が音声及び／または映像信号を送出するものの「アイソクロナス伝送で」送出するかわからない点で相違する。
　　
（オ）「自己の装置及び／または出力信号の形態を示す情報を形成して前記デジタル入出力手段からアシンクロナス伝送により出力する情報生成手段」
　引用発明の「ＣＰＵ１１」は、「ＲＯＭ１５に格納してあるグラフイック表示データ（ＡＶ機器の機種を示す記号、外観を示すグラフィック、型式を示す文字等）を１３９４ＩＦを介してコントローラＡＶＣへ送信するための動作全般を制御」する。
　「ＲＯＭ１５に格納してあるグラフイック表示データ（ＡＶ機器の機種を示す記号、外観を示すグラフィック、型式を示す文字等）」は、「自己の装置を示す情報」といえる。
  そうすると、引用発明の「ＣＰＵ１１」は、「自己の装置及び／または出力信号の形態を示す情報を形成して前記デジタル入出力手段から」「出力する情報生成手段」といえる。
　もっとも、補正後発明の「情報生成手段」が、自己の装置及び／または出力信号の形態を示す情報を形成して前記デジタル入出力手段から「アシンクロナス伝送により」出力するのに対し、引用発明は「アシンクロナス伝送により」出力するかわからない点で相違する。
 　 
ウ　一致点、相違点 
　そうすると、補正後発明と引用発明との一致点、相違点は次のとおりである。 　 
　　
［一致点］ 
　音声及び／または映像信号の発生手段及び前記音声及び／または映像信号を入出力する単数若しくは複数のデジタル入出力手段を有し、前記音声及び／または映像信号を送出する音声及び／または映像信号の送信装置であって、
　自己の装置及び／または出力信号の形態を示す情報を形成して前記デジタル入出力手段から出力する情報生成手段が設けられる
　ことを特徴とする音声及び／または映像信号の送信装置。
　　
［相違点１］
　補正後発明が「前記音声及び／または映像信号を出力する単数若しくは複数のアナログ出力手段」を有しているのに対し、引用発明が「前記音声及び／または映像信号を出力する単数若しくは複数のアナログ出力手段」を有していない点。
　　
［相違点２］
　補正後発明が、「アイソクロナス伝送で」音声及び／または映像信号を送出するのに対して、引用発明が音声及び／または映像信号を送出するものの「アイソクロナス伝送で」送出するかわからない点。
　　
［相違点３］
　補正後発明の「情報生成手段」が、自己の装置及び／または出力信号の形態を示す情報を形成して前記デジタル入出力手段から「アシンクロナス伝送により」出力するのに対し、引用発明は「アシンクロナス伝送により」出力するかわからない点。
 　 
（６）相違点の判断等 
ア［相違点１］について 
　ディジタルＡＶ機器がアナログ出力手段を有することは、周知技術である（特開平９−１８６９６９号公報の図４、特開平１０−３３４５９３号公報の図１１等参照）。
　したがって、引用発明であるディジタルビデオレコーダＶＣＲにおいて、アナログ出力手段を設け、「前記音声及び／または映像信号を出力する単数若しくは複数のアナログ出力手段」を有するようにすることは、当業者が容易に想到できたことである。
　　
イ［相違点２］について 
　ＩＥＥＥ１３９４インターフェイスは、ＩＥＥＥで規格化されたインタフェースであり、２つの種類のパケットが定義されている。一つは、映像や音声などのようにリアル・タイム処理の必要があるデータを伝送するためのもので、アイソクロナス・パケットと呼ばれるもので、もう一つは、リアル・タイム処理が必要のない通常のデータを送信する場合に使用する、アシンクロナス・パケットである。
　このことは、周知技術であり、例えば、下記の文献が参照される。
　そうすると、引用発明においては、「ビデオ・オーディオ信号再生ブロック１６」からの「読み出された映像／音声信号」は、映像／音声信号であるから、この「映像／音声信号」をアイソクロナス・パケットを使用して伝送すること、すなわち「アイソクロナス伝送」で送出することは、当業者が容易に想到できたことである。
　　
ウ［相違点３］について
　上記イのとおり、
「ＩＥＥＥ１３９４インターフェイスは、ＩＥＥＥで規格化されたインタフェースであり、２つの種類のパケットが定義されている。一つは、映像や音声などのようにリアル・タイム処理の必要があるデータを伝送するためのもので、アイソクロナス・パケットと呼ばれるもので、もう一つは、リアル・タイム処理が必要のない通常のデータを送信する場合に使用する、アシンクロナス・パケットである。」
ことは、周知技術である。
　引用発明における「ＲＯＭ１５に格納してあるグラフイック表示データ（ＡＶ機器の機種を示す記号、外観を示すグラフィック、型式を示す文字等）」は、「ＣＰＵ１１は、問い合わせを受信すると、」「１３９４ＩＦを介してコントローラＡＶＣへ送信」されるものであり、映像や音声などのようにリアル・タイム処理が必要のあるデータではない。
　ＩＥＥＥ１３９４インターフェイスにおいては、リアル・タイム処理が必要のない通常のデータは、普通、アシンクロナス・パケットを使用して伝送するから、引用発明における「ＲＯＭ１５に格納してあるグラフイック表示データ（ＡＶ機器の機種を示す記号、外観を示すグラフィック、型式を示す文字等）」、すなわち「自己装置を示す情報」を「アシンクロナス伝送により」出力することは、当業者が容易に想到できたことである。
　また、ＩＥＥＥ１３９４が、アシンクロナス・パケットを使用して、「発信もとのＩＤ」を伝送することは、周知技術である（下記周知文献：特開平１１−５５２９７号公報の図１、図２参照）ことからしても、発信もとのＩＤ、すなわち「自己装置を示す情報」を「アイソクロナス伝送により」出力することは、当業者が容易に想到できたことである。
　　
　　　　　記（周知技術：特開平１１−５５２９７号公報）
「【０００２】
　【従来の技術】
　現在、ディジタルＡＶ機器やコンピュータ周辺機器に使用されているディジタル・インタフェースにＩＥＥＥ１３９４インタフェースがある。このＩＥＥＥ１３９４は次世代のマルチメディア用の高速シリアル・インタフェースとしてＩＥＥＥ（アイ・トリプルイー）で規格化されたインタフェースである（参考文献　High Performance Serial Bus 1394-1995：ハイ・パフォーマンス・シリアル・バス 1394-1995）。
【０００３】
　このＩＥＥＥ１３９４に接続される機器（以下、ノードと称する）は、分岐を持つ木構造で接続され、複数の端子を持つノードは一つの端子から受け取った信号を他の端子へ出力することで信号を中継する。従って任意のノードが出力したデータがすべてのノードに伝達される。このため、構成としては木構造ではあるが、実際にはバスとして動作する。またこのようにバスに接続された機器には、ノードＩＤと呼ばれる識別子がつけられる。このノードＩＤは０から６２までの値をとることが可能であり、この結果、一つのバスに６３台の機器を接続することができる。また、任意の２つの機器間の接続は最大１６段接続まで行うことができ、機器を接続するケーブルの最大距離は４．５ｍである。さらに６３台を越える機器を接続する場合にや、また４．５ｍを越える距離を接続する場合には、バスのＩＤを付加してバス同士を接続するバス・ブリッジを使用することが可能である。これによって、１０２３のバスを接続することが可能である。現在ＩＥＥＥではこのバス・ブリッジの規格化が進められている。
【０００４】
　一方、このノードＩＤは、バスに新たな機器が接続された場合や、逆に機器が切り離された場合に行われるバスの初期化動作（以下、バス・リセットと称する）によって自動的に割り振られる。これによって、ユーザがＩＤの設定をすることなしに、機器の接続や切り離しをすることができる。しかしのその反面、このノードＩＤはパケットの送受信の宛先に使用するものであり、バス・リセットによってノードＩＤが変化するため、一度バス・リセットが発生すると、パケットを送信する前に、送信先のノードのノードＩＤを確認する必要がある。」
「【０００６】
　ＩＥＥＥ１３９４には、２つの種類のパケットが定義されている。一つは、映像や音声などのようにリアル・タイム処理の必要があるデータを伝送するためのもので、アイソクロナス・パケットと呼ばれるものである。もう一つは、リアル・タイム処理が必要のない通常のデータを送信する場合に使用する、アシンクロナス・パケットである。アイソクロナス・パケットは、予め予約した帯域での伝送が保証されているものであり、逆に再送信などの処理を行うことはできない。またこのために、送信に先立って使用する帯域を予約する必要がある。一方のアシンクロナス・パケットは再送信などの処理を行うことができるが、パケットの送信にかかる時間は保証されていない。
【０００７】
　この２つの種類のパケットのなかで、アシンクロナス・パケットは、ＩＳＯ／ＩＥＣ１３２１３（ＩＳＯ／ＩＥＣ１３２１３　Control and Status Register Architecture for Microcomputer Buses：コントロール・アンド・ステータス・レジスター・アーキテクチャ・フォー・マイクロコンピュータ・バシーズ）およびＩＥＥＥ１３９４で定められたＣＳＲ（コントロール・アンド・ステータス・レジスター）アドレス空間へのアクセスとして送信される。ＩＥＥＥ１３９４では、バスに接続されたすべてのノードが仮想的な４８ビットのアドレス空間を持っており、ノード間の通信は、互いのアドレス空間への書き込みや読み出しとして実現している。このため、アシンクロナス・パケットには、アドレス空間の読み出しや書き込みを行うためのパケットが定義されている。
【０００８】
　ノードがリアルタイム処理の必要のないデータの送信を行う場合、転送先のアドレス空間にデータを書き込むためのパケットを送信し、一方受信側では、書き込まれたアドレスによってデータの種別や形式などを判断し、この書き込み動作の結果として、受信が正常に行われたかどうかの応答を返送する（書き込み要求と書き込み応答）。一方、データの要求を行う場合には、要求先のアドレスを読み出すための要求を送信する。この場合、データの要求を受けるノードは読み出し要求を受けたアドレスによって、要求されているデータの種別や内容などを判断し、適切なデータをこの読み出しへの応答として返信する（読み出し要求と読み出し応答）。このようにデータの転送は、アドレス空間へのデータの書き込みや読み出し要求と、この要求の応答によって実現されている。このようなアシンクロナス・パケットを図１および図２に示す。なお、同一の内容を含む部分は同一の番号を付している。」
「【００１３】
　ＩＥＥＥ１３９４インタフェースを持つディジタルＡＶ機器は、このようなアシンクロナス・パケットを使用して、機器制御に関わる情報の送受信を行う。この制御情報の送受信の方法は、ＩＥＣ６１８８３に定められている。ここで定められた方法では、機器制御のための命令がＣＳＲアドレス空間の、特定のアドレスに対する書き込み要求として送信される。一方、この要求に対する応答も、特定のアドレスへの書き込み要求として送信される。なお、制御のための命令を書き込むためのアドレスと応答を書き込むためのアドレスは異なるアドレスが使用される。
【００１４】
　一方、リアルタイム処理の必要なデータの送信に使用されるアイソクロナス・パケットを使用する場合には、予め使用する帯域を、帯域の管理ノードに対して予約する必要がある。この帯域の管理ノードは、バス・リセットの際に送信されるセルフＩＤパケットに含まれる情報から一意に定まる。アイソクロナス・パケットを送信する際には、送信に先立って、パケットの大きさと、バスの接続状態によって計算される伝搬遅延との両者によって決まる、単位時間あたりのバスの使用時間を予約する。この伝搬遅延は、前述のようにセルフＩＤパケットを解析する事で決定することが可能である。」
　　（以上、周知技術）
　　
エ　効果等 
　以上のように、相違点１〜相違点３に係る構成はいずれも当業者が容易に想到できたものである。そして、これらの相違点に係る構成を総合しても、補正後発明が奏する効果は、当業者が容易に予測できたものである。
　したがって、補正後発明は、刊行物１に記載された発明及び周知技術に基づいて当業者が容易に発明することができたものであるから、特許法第２９条第２項の規定により特許出願の際独立して特許を受けることができない。
　よって、本件補正は、平成１８年法律第５５号改正附則第３条第１項によりなお従前の例によるとされる同法による改正前の特許法第１７条の２第５項において準用する同法第１２６条第５項の規定に反している。 
 　 
３　まとめ 
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　よって、補正却下の決定の結論のとおり決定する。 
 　 
第３　本願発明について 
１　本願発明 
　平成２０年４月７日付けの手続補正は、上記のとおり却下されたので、本願の請求項１〜請求項１７に係る発明は、平成２０年１月１５日付け手続補正により補正された明細書及び図面の記載からみて、その特許請求の範囲の請求項１〜請求項１７に記載した事項により特定されるとおりのものであるところ、請求項７に係る発明は次のとおりである。 
　　
 「音声及び／または映像信号の発生手段、前記音声及び／または映像信号を出力する単数若しくは複数のアナログ出力手段、及び前記音声及び／または映像信号を入出力する単数若しくは複数のデジタル入出力手段を有する音声及び／または映像信号の送信装置であって、
　自己の装置及び／または出力信号の形態を示す情報を形成して前記デジタル入出力手段からアイソクロナス伝送により出力する情報生成手段が設けられる
　ことを特徴とする音声及び／または映像信号の送信装置。」
　　
　請求人は、請求の理由において、平成２０年１月１５日付け手続補正書で補正した請求項１、７、１２で、自己装置及び／または出力信号の形態を示す情報を形成して前記デジタル入出力手段からアイソクロナス伝送により行うと補正したのは、誤りである旨主張するので、検討する。
　上記第２の２（１）ア（イ）のとおり、「アイソクロナス伝送により」は、「アシンクロナス伝送により」の誤記である。
　　
　そうすると、請求項７に係る発明（以下「本願発明」という。）は、次のとおりに認定される。
　　
 「音声及び／または映像信号の発生手段、前記音声及び／または映像信号を出力する単数若しくは複数のアナログ出力手段、及び前記音声及び／または映像信号を入出力する単数若しくは複数のデジタル入出力手段を有する音声及び／または映像信号の送信装置であって、
　自己の装置及び／または出力信号の形態を示す情報を形成して前記デジタル入出力手段から
アシンクロナス伝送により
　ことを特徴とする音声及び／または映像信号の送信装置。」
 　 
２　引用文献
　原査定の拒絶の理由に引用された引用文献１の記載事項は、上記第２の２（４）に記載したとおりである。 
 　 
３　対比 
　引用文献１に記載された発明は、上記第２の２（５）アに記載した引用発明と同じである。 
　本願発明と引用文献１に記載された発明を対比する。 
　本願発明は、補正後発明が「前記音声及び／または映像信号をアイソクロナス伝送で送出する音声及び／または映像信号の送信装置」のに対して、「前記音声及び／または映像信号をアイソクロナス伝送で送出する」としていない点で相違するほかは、同じであるので、上記第２の２（５）イ（ア）〜（ウ）、（オ）を援用する。
（エ）’「音声及び／または映像信号の送信装置」
　引用発明の「１３９４ＩＦ部１３」は、「コントローラＡＶＣからの制御信号をデータバス１２を介してＣＰＵ１１へ送り込むと共に、ビデオ・オーディオ信号再生ブロック１６からの再生出力信号をコントローラＡＶＣへ送出する機能を有する」。そうすると、引用発明である「ディジタルビデオレコーダＶＣＲ」は、「ビデオ・オーディオ信号再生ブロック１６からの再生出力信号」、すなわち「音声及び／または映像信号」を送出するから、「音声及び／または映像信号の送信装置」といえる。
　　
　そうすると、本願発明と引用文献１に記載された発明の一致点、相違点は次のとおりである。 
 　 
［一致点］ 
　音声及び／または映像信号の発生手段及び前記音声及び／または映像信号を入出力する単数若しくは複数のデジタル入出力手段を有する音声及び／または映像信号の送信装置であって、
　自己の装置及び／または出力信号の形態を示す情報を形成して前記デジタル入出力手段から出力する情報生成手段が設けられる
　ことを特徴とする音声及び／または映像信号の送信装置。
　　
［相違点１］
　本願発明が「前記音声及び／または映像信号を出力する単数若しくは複数のアナログ出力手段」を有しているのに対し、引用文献１に記載された発明が「前記音声及び／または映像信号を出力する単数若しくは複数のアナログ出力手段」を有していない点。
　　
［相違点２］
　本願発明の「情報生成手段」が、自己の装置及び／または出力信号の形態を示す情報を形成して前記デジタル入出力手段から「アシンクロナス伝送により」出力するのに対し、引用文献１に記載された発明は「アシンクロナス伝送により」出力するかわからない点。
 　 
４　判断 
　［相違点１］については、補正後発明に係る相違点１の判断（上記第２の２（６）ア）と同様である。
　［相違点２］については、補正後発明に係る相違点３の判断と（上記第２の２（６）ウ）と同様である。
　そうすると、本願発明は、引用文献１に記載された発明及び周知技術に基づいて当業者が容易に発明することができたものである。 
 　 
５　むすび 
　以上のとおり、本願の請求項７に係る発明は、引用文献１に記載された発明及び周知技術に基づいて、当業者が容易に発明することができたものであるから、特許法第２９条第２項の規定により特許を受けることができない。
　したがって、残る請求項１〜請求項６、請求項８〜請求項１７に係る発明について検討するまでもなく、本願は拒絶されるべきものである。
　　
　よって、結論のように審決する。